(57)【要約】      （修正有）【課題】商品陳列用や家庭用等で使用される陳列棚用のシェルフ棚であって、分解・組み立てが容易で重量ある物品を積載可能であり、碁盤目状収納スペースを有する多積載可能組立式棚様の木製シェルフを提供する。【解決手段】厚さ１２〜２１ｍｍ、幅２４０〜３６０ｍｍ、長さ９００〜２４５０ｍｍの合板を使用して、２枚の側板２と、２〜４枚の仕切り板３と、５〜７枚の棚板４と、４枚の背板５とを組み合わせた正方形の升型の収納スペースを持つシェルフタイプ棚家具であって、正方形の升型の収納スペースは、横３〜５列、縦５〜７段であり、縦横３２０〜３３０ｍｍの正方形の空間を持つ１２〜５０個の収納スペースを所持し、碁盤目状になっている収納スペースのうち４箇所に安定板の背板を設けている。【選択図】図１
0003224503.tif 000002
【実用新案登録請求の範囲】
【請求項１】
厚さ１２〜２１ｍｍ、幅２４０〜３６０ｍｍ、長さ９００〜２４５０ｍｍの合板を使用して、２枚の側板と、２〜４枚の仕切り板と、５〜７枚の棚板と、４枚の背板とを組み合わせた正方形の升型の収納スペースを持つシェルフタイプ棚家具であって、正方形の升型の収納スペースは、横３〜５列、縦５〜７段であり、縦横３２０〜３３０ｍｍの正方形の空間を持つ１２〜５０個の収納スペースを所持し、碁盤目状になっている収納スペースのうち４箇所に安定板の背板を設けていることを特徴とする木製シェルフ。
【請求項２】
２枚の側板と、２〜４枚の仕切り板と、５〜７枚の棚板と、４枚の背板において、幅２４０〜３６０ｍｍ側板の内面側に１２０〜１８０ｍｍ長さの等間隔で幅１２〜１８ｍｍ、深さ３〜５ｍｍの線状溝を４〜８箇所に彫って、さらに、両サイドの最上段と最下段から次の段の収納スペースに嵌まる当該面積の大きさの正方形の背板を取り付ける溝を設けて、仕切り板は幅３３０〜３５０ｍｍで、長さ方向に３２０〜３３０ｍｍの等間隔で、仕切り板に棚板を嵌め込みできるように、幅１２〜１８ｍｍ、長さ１６０〜１７５ｍｍの切込み部を等間隔で５〜７箇所に設けて、棚板は幅３３０〜３５０ｍｍで、内面側に３２０〜３３０ｍｍ長さの等間隔に設けて、仕切り板を嵌め込みできるように、幅１２〜１８ｍｍ、長さ１６０〜１７５ｍｍの切込み部を等間隔の５〜７箇所に設けていることを特徴とする請求項１に記載の木製シェルフ。
【請求項３】
複数収納スペースからなる碁盤目状のシェルフタイプ棚家具の軽量化と安定化のために、材料として、表板と芯材と集成材からなる厚さ１２〜２１ｍｍの合板を使用して、縦横３００〜３６０ｍｍの正方形の空間を持つ１２〜５０個の収納スペースからなる碁盤目状のうち両サイドで最上段と最下段から次の段の収納スペースに嵌まる４箇所の中心部に正方形の背板を嵌めていることを特徴とする請求項１、又は請求項２に記載の木製シェルフ。
【請求項４】
前記シェルフは、側板と棚板をボルトによって固定して、それに仕切り板を嵌めて、碁盤目状にして、両サイド列の上下１段目、もしくは２段目に４枚の正方形の背板を嵌めて、安定な収納スペースにした碁盤目状にしていることを特徴とする請求項１、又は請求項２に記載のシェルフ棚家具。
【考案の詳細な説明】
【技術分野】
【０００１】本考案は、商品陳列用や家庭用等で使用される陳列棚用の木製シェルフで、少ない部材で構成して、分解・組み立てが容易で重量ある物品を積載可能である棚板、又は碁盤目状収納スペースを有する多積載可能組立式棚様の木製シェルフに関するものである
【背景技術】
【０００２】  ホームセンターやスーパー、書店などの商業施設において、ペットボトル、ワインボトル、書籍などの陳列品を陳列する陳列棚には、耐荷重性の観点から鉄製の棚板が多く用いられている。この種の棚板として、例えば特許文献１に記載のものが提供されている。特許文献１に記載の鉄製棚板は、片持ちタイプの陳列棚に用いられるものであり、陳列棚の２本の支柱にブラケットを係合し、そのブラケット上に棚板が取り付けられる。一方、商業施設によっては、デザイン性や外観上の観点から、陳列棚に鉄製の棚板ではなく、木の材質感や風合い（木質感）を有する棚板を用いたいという要望がある。このため、ＬＶＬ（Ｌａｍｉｎａｔｅｄ  Ｖｅｎｅｅｒ  Ｌｕｍｂｅｒ、単板積層材とも言われる）など、特定の方向に強度を有する木質材を用いて耐荷重性を向上させた木製棚板が開発されている。【０００３】支持部材を露出させることなく、確実に壁面に取り付けることができ、施工の自由度の高い棚板の取付構造を提供できて、棚板を現場で必要な長さに切断して壁面に設置するにおいて、棚板を、後面が開放されたフラッシュ構造を有しており、支持部材は、壁面にビス止めされる取付ベースから複数の支持アームが前方側に張り出した支持金具と、支持金具の支持アームに取り付けられた木製の棚受材とを有し、棚板をその下面側から棚受材にビス止めすることで、壁面にビス止めされた支持部材と棚板とが固定することが提案されている（特許文献１参照）。【０００４】生活用品を収納する棚を、収納スペースや収納空間に合わせて、消費者が自由にボックスを増減して収納棚の形状を変更できる便利棚において、木材・プラスチック・硬質の紙などの素材で作られた升型の複数の便利棚を、接着テープや雄ネジ、雌ネジで連結して収納量を自由に増加できるようにする。１０冊の本を収納できるボックスで想定すれば、新たに２５冊の本が増えた場合、３個のボックスを用意すれば足りるわけで、部屋のスペースにあわせて横にでも縦にでも繋げて使用することができるものが提案されている（特許文献２参照）。【０００５】立柱及び立柱間に固定されるラミネート板があり、前記立柱は長方体で、相対した両側壁に間隔を置かれ、二個以上の取付け用段付け穴が並べられており、ラミネート板は鉄片で四個の立柱間に固定される。ラミネート板と頂板は鉄片を通って立柱に固定されるようになるため、木棚の安定性がよいこと、対称した立柱の両側壁は、対称して取付け穴があり、鉄片とラミネート板にそれぞれつながって固定されており、複数の木棚は連体状となり、木棚の取り付けや設置は場所の大きさにより対応でき、複数の木棚接続体の安定性もよい棚家具が提案されている（特許文献３参照）。【０００６】従来の組み立て棚では、棚の高さが高く、かつ災害時でも安心な木製の組み立て棚にしたいと考えた場合、木製の組み立て棚において、左右の側板をそれぞれ上部と下部の２つに分割し、側板連結具を用いて上部と下部を連結するとともに、前記天板の下面背部、前記底板の上面背部、前記棚板の上面背部と下面背部、前記右側板の内側面背部及び前記左側板の内側面背部に、前記背板の一辺を挟みこむ嵌合溝を有し、前記各背板の各辺が、それぞれ前記嵌合溝で挟み込まれた組み立て棚とすること、及びかかる構造が可能となる組み立て棚のキットとする（特許文献４参照）。【０００７】書籍、商品を展示、陳列するシェルフ棚を提案されているが。シンプルで、強度的に問題ない仕組みにして装飾も持たせて、分解・組み立てが容易な重量ある物品を積載可能である棚板、又は碁盤目状収納スペースを有する多積載可能組立式棚様のシェルフ棚家具雰囲気を持たせながら、側板と棚板の組み合わせによる棚家具は少ない。
【先行技術文献】
【特許文献】
【０００８】
【特許文献１】特開２０１７−２１７３７４号公報
【特許文献２】実用新案登録第３１８６２９５号公報
【特許文献３】実用新案登録第３１４０４３０号公報
【特許文献４】特開２００７−６１２０７号公報
【考案の概要】
【考案が解決しようとする課題】
【０００９】商品陳列用や家庭用等で使用される、少ない部材で構成することのできる簡単に組立可能な棚家具は、強度のあるランバーコア合板を使用して側板と棚板を取り付ける技術、並びに、同様な側板と棚板を組み立てる技術において、家庭内、事務所内、店舗内の陳列棚や書類、書籍棚等として使用する場合には外観上の美観を損ねるという不都合を備えており、さらにこれらの取り付け用の穴は棚板の載置側、即ち、物品を収納したり収納、展示、陳列する側に形成されていることになるため、物品の収納や陳列や収納の作業者、並びに、その状態を見る閲覧者の手、指、服、或いは他の物品等が引っかかりやすいという不具合も生じやすい状態となっていた。【００１０】また、木製板材の組立式木製シェルフにおいて、棚板に強度を持たせるために側板を重厚な材料で構成するため、収納容積が少なく、運搬、組立作業で困難を来たしている。また書類、物品の収納や陳列がし難く、重量物品の積載や陳列物自体の状態も見にくくなる。また、棚板を載置するため、平板状の後面板を取り付ける構成となっているため組立て作業がしにくい、しかも複雑で大型化する構成となる不都合が生じている。【００１１】そこで、本考案は、強度のあるランバーコアなどの合板を使用して側板と棚板を取り付ける技術、並びに、同様な側板と棚板を組み立てる技術において、書籍など重量感のある物品の積載可能な棚板を簡単に取りつけることができる組立式棚家具で、強度と軽量感、美感的に問題ない棚が要望されている。これらの従来技術の不都合を解消すべく、収納スペースからなる碁盤目状にして、重量的な積載物、あるいは収納スペース箱体を設置して簡単な構成でありながら、天井から床にかけて側板に対しても棚板を簡単に取りつけることができる組立式シェルフ棚家具を提供することを課題とする。また特殊なランバーコア合板板材を使用して、軽量性と強度についても使用することが期待されている。
【課題を解決するための手段】
【００１２】厚さ１２〜２１ｍｍ、幅２４０〜３６０ｍｍ、長さ９００〜２４５０ｍｍの合板を使用して、２枚の側板と、２〜４枚の仕切り板と、５〜７枚の棚板と、４枚の背板とを組み合わせた正方形の升型の収納スペースを持つシェルフタイプ棚家具であって、正方形の升型の収納スペースは、横３〜５列、縦５〜７段であり、縦横３２０〜３３０ｍｍの正方形の空間を持つ１２〜５０個の収納スペースを所持し、碁盤目状になっている収納スペースのうち４箇所に安定板の背板を設けている木製シェルフである。【００１３】２枚の側板と、２〜４枚の仕切り板と、５〜７枚の棚板と、４枚の背板において、幅２４０〜３６０ｍｍ側板で内面側に１２０〜１８０ｍｍ長さの等間隔で幅１２〜１８ｍｍ、深さ３〜５ｍｍの線状溝を４〜８箇所に彫って、しかも両サイドでの最上段と最下段から次の段の収納スペースに嵌まる当該面積の大きさの正方形の背板を取り付ける溝を設けており、仕切り板は幅３３０〜３５０ｍｍで、長さ方向に３２０〜３３０ｍｍの等間隔で、仕切り板に棚板を嵌め込みできるように、幅１２〜１８ｍｍ、長さ１６０〜１７５ｍｍの切込み部を等間隔の５〜７箇所に設けて、棚板は幅３３０〜３５０ｍｍで、内面側に３２０〜３３０ｍｍ長さの等間隔に設けて、仕切り板に嵌め込みできるように、幅１２〜１８ｍｍ、長さ１６０〜１７５ｍｍの切込み部を等間隔の５〜７箇所に設けている。【００１４】収納スペースからなる碁盤目状のシェルフタイプ棚家具の軽量化と安定化のために、材料として厚さ１２〜２１ｍｍの表板と芯材と集成材からなる合板を使用して、縦横３００〜３６０ｍｍの正方形の空間を持つ１２〜５０個の収納スペースからなる碁盤目状のうち両サイドで最上段と最下段から次の段の収納スペースに嵌まる４箇所の中心部に正方形の背板を嵌めている。【００１５】前記シェルフは、側板と棚板をボルトによって固定して、それに仕切り板を嵌めて、碁盤目状にして、両サイド列の上下１段目、もしくは２段目に４枚の正方形の背板を嵌めて、安定な収納スペースにした碁盤目状にしている。【００１６】ランバーコア合板は、文字通りコア（芯）となる芯板をはさみ込み、原木を無駄なく利用し、しかも製材品以上の機能性を持つ木質材料である。  ランバーコア合板は、家具、木工、建材の材料として幅広く利用されている。木目の美しさから一層その用途が広げられ、また、断熱、吸音効果が高いことから、楽器などにも多用されている。特に製材品に比べて、コストダウンが図れ、常に材料確保が容易である。
【考案の効果】
【００１７】本考案によれば、従来の多くの木製の組立式棚家具は、ランバーコア合板を使用して、側板と、仕切り板と、棚板と、背板とを組み合わせた正方形の升型の収納スペースを持つシェルフ家具であって、多数の正方形の升型の収納スペースを所持し、碁盤目状になっている収納スペースに安定板の背板を設けている。側板と、仕切り板と、棚板と、背板とからなるシェルフ家具は、美観に優れた組立式棚様に仕上げ、重量物品の収納や陳列が行いやすくすることができた。また、家具自体に軽量感を持たせた上で、構成自体で簡単なので、コンパクトで、しかも確実に安全に組み立てることができた。【００１８】板状組立式棚様は、正面から見て、シンプルで美観に優れており、特に重量的物品を入れる陳列棚、収納棚に用いると効果的である。適切なランバーコア合板を選ぶことによって、部屋自体に癒しをもたらすことができる。また、簡単に取り外し、組み立てができて、側板と仕切り板と棚板とからなって、重量的物品の収納や確認がしやすく、一般の重量物置物を設置できる展示棚、収納棚としても使用できる。
【図面の簡単な説明】
【００１９】
【図１】本考案の３列−５段の木製シェルフの斜視図を表わしたものである。
【図２】本考案の木製シェルフの組み立て・接合部品の各部品の図を表わした状態を示す。
【図３】本考案の木製シェルフの各部品を組み立てる状態図を示す。
【図４】本考案の木製シェルフに商品を置いている状態の図面を示す。
【図５】本考案における木製シェルフを本棚として使用している状態の図を示す。
【考案を実施するための形態】
【００２０】以下、本考案の実施形態について図面に基づいて説明する。
【実施例１】
【００２１】図１に示すように、厚さ１５ｍｍ、幅３５０ｍｍ、長さ１８００ｍｍのランバーコア合板を使用して、２枚の側板と、２枚の仕切り板と、５枚の棚板と、４枚の背板とを組み合わせた正方形の升型の収納スペースを持つシェルフタイプ家具であって、正方形の升型の収納スペースは、横３列、縦５段であり、縦横３２５ｍｍの正方形の空間を持つ１５個の収納スペースを所持し、碁盤目状になっている収納スペースのうち４箇所に安定板の背板を設けているシェルフ家具である。【００２２】図２に示すように、２枚の側板と、２枚の仕切り板と、５枚の棚板と、４枚の背板において、側板は幅３５０ｍｍで、内面側に３２５ｍｍ長さの等間隔で幅１５ｍｍ、深さ４ｍｍの線状溝を５箇所に彫って、両サイドで最上段と最下段から次の段の収納スペースに嵌まる正方形の背板を嵌める溝を設けており、仕切り板は幅３３０ｍｍで、長さ方向に３３０ｍｍの等間隔で、仕切り板に棚板を嵌め込みできるように、幅１５ｍｍ、長さ１７５ｍｍの切込み部を等間隔の５箇所に設けて、棚板は幅３３０ｍｍで、内面側に３２５ｍｍ長さの等間隔で、仕切り板に嵌め込みできるように、幅１５ｍｍ、長さ１７５ｍｍの切込み部を等間隔で５箇所に設けた。【００２３】収納スペースからなる碁盤目状のシェルフタイプ棚家具の軽量化と安定化のために、材料として厚さ１５ｍｍの表板と芯材と集成材からなるランバーコア合板を使用して、縦横３３０ｍｍの正方形の空間を持つ１５個の収納スペースからなる碁盤目状のうち両サイドで最上段と最下段から次の段の収納スペースに嵌まる４箇所の中心部に正方形の背板を嵌めた。【００２４】シェルフタイプ家具は、側板と棚板を六角ボルトによって固定して、それに仕切り板を嵌めて、碁盤目状にして、両サイド列の上下２段目に４枚の正方形の背板を嵌めて、安定な収納スペースにした碁盤目状にして、下段から二段目にカウンターを設けることができるようにした。
【実施例２】
【００２５】厚さ１５ｍｍ、幅３５０ｍｍ、長さ２４００ｍｍのランバーコア合板を使用して、２枚の側板と、４枚の仕切り板と、７枚の棚板と、４枚の背板とを組み合わせた正方形の升型の収納スペースを持つシェルフタイプ家具であって、正方形の升型の収納スペースは、横５列、縦７段であり、縦横３２５ｍｍの正方形の空間を持つ３５個の収納スペースを所持し、碁盤目状になっている収納スペースのうち４箇所に安定板の背板を設けているシェルフ家具にした。【００２６】２枚の側板と、４枚の仕切り板と、７枚の棚板と、４枚の背板において、側板は幅３５０ｍｍで、内面側に３２５ｍｍ長さの等間隔で幅１５ｍｍ、深さ４ｍｍの線状溝を７箇所に彫って、両サイドで最上段と最下段から次の段の収納スペースに嵌まる正方形の背板を嵌める溝を設けており、仕切り板は幅３３０ｍｍで、長さ方向に３２５ｍｍの等間隔で、仕切り板に棚板を嵌め込みできるように、幅１５ｍｍ、長さ１７５ｍｍの切込み部を等間隔の７箇所に設けて、棚板は幅３５０ｍｍで、内面側に３３０ｍｍ長さの等間隔で、仕切り板に嵌め込みできるように、幅１５ｍｍ、長さ１７５ｍｍの切込み部を等間隔の７箇所に設けた。【００２７】収納スペースからなる碁盤目状のシェルフタイプ家具の軽量化と安定化のために、材料として厚さ１５ｍｍの表板と芯材と集成材からなるランバーコア合板を使用して、縦横３３０ｍｍの正方形の空間を持つ３５個の収納スペースからなる碁盤目状のうち両サイドで最上段と最下段から次の段の収納スペースに嵌まる４箇所の中心部に正方形の背板を嵌めた。【００２８】シェルフタイプ家具は、側板と棚板を六角ボルトによって固定して、それに仕切り板を嵌めて、碁盤目状にして、両サイド列の上下２段目に４枚の正方形の背板を嵌めて、安定な収納スペースにした碁盤目状にして、下段から二段目にカウンターを設けることができるようにした。【００２９】またランバーコア合板は、コア（芯）となる芯板をはさみ込み機能性を持つ木質材料であり、木目の美しさから一層その用途が広げられ、また、断熱、吸音効果が高い。特に製材品に比べて、コストダウンが図れ、常に材料確保で容易になった。
【符号の説明】
【００３０】１．  シェルフ棚家具
２．  側板
３．  仕切り板
４．  棚板
５．  背板
６．  升模様
７．  碁盤目状
８．  収納スペース
９．  ランバーコア合板
１０．表板
１１．芯材
１２．集成材
１３．六角ボルト
【図１】
0003224503.tif 000003
【図２】
0003224503.tif 000004
【図３】
0003224503.tif 000005
【図４】
0003224503.tif 000006
【図５】
0003224503.tif 000007
【手続補正書】
【提出日】令和1年10月2日(2019.10.2)
【手続補正１】
【補正対象書類名】実用新案登録請求の範囲
【補正対象項目名】全文
【補正方法】変更
【補正の内容】
【実用新案登録請求の範囲】
【請求項１】
厚さ１２〜２１ｍｍ、幅２４０〜３６０ｍｍ、長さ９００〜２４５０ｍｍの合板を使用して、２枚の側板と、２〜４枚の仕切り板と、５〜７枚の棚板と、４枚の背板とを組み合わせた正方形の升型の収納スペースを持つシェルフタイプ棚家具であって、正方形の升型の収納スペースは、横３〜５列、縦５〜７段であり、縦横３２０〜３３０ｍｍの正方形の空間を持つ１５〜３５個の収納スペースを所持し、碁盤目状になっている収納スペースのうち４箇所に安定板の背板を設けていることを特徴とする木製シェルフ。
【請求項２】
２枚の側板と、２〜４枚の仕切り板と、５〜７枚の棚板と、４枚の背板において、幅２４０〜３６０ｍｍ側板の内面側に１２０〜１８０ｍｍ長さの等間隔で幅１２〜１８ｍｍ、深さ３〜５ｍｍの線状溝を４〜８箇所に彫って、さらに、両サイドの最上段と最下段から次の段の収納スペースに嵌まる当該面積の大きさの正方形の背板を取り付ける溝を設けて、仕切り板は幅３３０〜３５０ｍｍで、長さ方向に３２０〜３３０ｍｍの等間隔で、仕切り板に棚板を嵌め込みできるように、幅１２〜１８ｍｍ、長さ１６０〜１７５ｍｍの切込み部を等間隔で５〜７箇所に設けて、棚板は幅３３０〜３５０ｍｍで、内面側に３２０〜３３０ｍｍ長さの等間隔に設けて、仕切り板を嵌め込みできるように、幅１２〜１８ｍｍ、長さ１６０〜１７５ｍｍの切込み部を等間隔の５〜７箇所に設けていることを特徴とする請求項１に記載の木製シェルフ。
【請求項３】
複数収納スペースからなる碁盤目状のシェルフタイプ棚家具の軽量化と安定化のために、材料として、表板と芯材と集成材からなる厚さ１２〜２１ｍｍの合板を使用して、縦横３００〜３６０ｍｍの正方形の空間を持つ１５〜３５個の収納スペースからなる碁盤目状のうち両サイドで最上段と最下段から次の段の収納スペースに嵌まる４箇所の中心部に正方形の背板を嵌めていることを特徴とする請求項１、又は請求項２に記載の木製シェルフ。
【請求項４】
前記シェルフは、側板と棚板をボルトによって固定して、それに仕切り板を嵌めて、碁盤目状にして、両サイド列の上下１段目、もしくは２段目に４枚の正方形の背板を嵌めて、安定な収納スペースにした碁盤目状にしていることを特徴とする請求項１、又は請求項２に記載のシェルフ棚家具。
【手続補正２】
【補正対象書類名】明細書
【補正対象項目名】００１２
【補正方法】変更
【補正の内容】
【００１２】厚さ１２〜２１ｍｍ、幅２４０〜３６０ｍｍ、長さ９００〜２４５０ｍｍの合板を使用して、２枚の側板と、２〜４枚の仕切り板と、５〜７枚の棚板と、４枚の背板とを組み合わせた正方形の升型の収納スペースを持つシェルフタイプ棚家具であって、正方形の升型の収納スペースは、横３〜５列、縦５〜７段であり、縦横３２０〜３３０ｍｍの正方形の空間を持つ１５〜３５個の収納スペースを所持し、碁盤目状になっている収納スペースのうち４箇所に安定板の背板を設けている木製シェルフである。
【手続補正３】
【補正対象書類名】明細書
【補正対象項目名】００１４
【補正方法】変更
【補正の内容】
【００１４】収納スペースからなる碁盤目状のシェルフタイプ棚家具の軽量化と安定化のために、材料として厚さ１２〜２１ｍｍの表板と芯材と集成材からなる合板を使用して、縦横３００〜３６０ｍｍの正方形の空間を持つ１５〜３５個の収納スペースからなる碁盤目状のうち両サイドで最上段と最下段から次の段の収納スペースに嵌まる４箇所の中心部に正方形の背板を嵌めている。